(57)【要約】  【課題】  建造物の躯体や仕上げ面から突出せず、容易に取付けができ、取付け精度を高めることのでき得る導線接続用水切り端子を提供することを目的とする。  【解決手段】  建造物の躯体外部に配置されて、雷撃を受止める受雷部に接続された避雷導線３４を、建造物の躯体内部に埋設されて接地極に接続された避雷導線３６に接続し、該建造物の躯体内部への水分浸入を防止する導線接続用水切り端子１５において、相対する第１及び第２の平面部を有する基板１１と、前記第１の平面部上に形成され、受雷部側の避雷導線３４に固着された端子１７を取付ける略長方形状の端子取付け部１２と、前記第２の平面部上に形成され、接地極側の避雷導線３６に固着されたテーパーネジ部材１８を取付ける略長方形状のテーパーネジ螺着部１３とを備えた。【選択図】  図５
2005203105.tif 000002
【特許請求の範囲】
【請求項１】
建造物の躯体外部に配置されて、雷撃を受止める受雷部に接続された避雷導線を、建造物の躯体内部に埋設されて接地極に接続された避雷導線に接続し、該建造物の躯体内部への水分浸入を防止する導線接続用水切り端子において、
相対する第１及び第２の平面部を有する基板と、
前記第１の平面部上に形成され、受雷部側の避雷導線に固着された第１の端子を取付ける第１の端子取付け部と、
前記第２の平面部上に形成され、接地極側の避雷導線に固着された第２の端子を取付ける第２の端子取付け部とを備えた、
ことを特徴とする導線接続用水切り端子。
【請求項２】
請求項１に記載の導線接続用水切り端子において、
前記基板は、その周縁部に形成され、該基板を、建造物あるいは建造物の建築に用いる部材に固定するための脚部を有する、
ことを特徴とする導線接続用水切り端子。
【請求項３】
請求項２に記載の導線接続用水切り端子において、
前記脚部は、前記第２の平面部上に、前記基板の周縁部の一部から該第２の平面部と垂直な方向に延びるよう形成され、先端が前記基板の外側に折り曲げられた側面Ｌ字形状部である、
ことを特徴とする導線接続用水切り端子。
【請求項４】
請求項２に記載の導線接続用水切り端子において、
前記脚部は、前記基板の周縁部の一部から基板側方に突出するよう形成された平板状部である、
ことを特徴とする導線接続用水切り端子。
【請求項５】
請求項１に記載の導線接続用水切り端子において、
前記第１の端子取付け部は、前記第１の端子を取付けるためのネジが螺着されるネジ穴を有する、
ことを特徴とする導線接続用水切り端子。
【請求項６】
請求項１に記載の導線接続用水切り端子において、
前記第２の端子取付け部は、前記第２の端子を取付けるネジが螺着されるネジ穴を１箇所以上有する、
ことを特徴とする導線接続用水切り端子。
【請求項７】
請求項２ないし請求項４のいずれかに記載の導線接続用水切り端子において、
前記脚部は、釘もしくはボルトが挿入される挿入孔を有する、
ことを特徴とする導線接続用水切り端子。
【請求項８】
請求項１に記載の導線接続用水切り端子において、
前記基板の、第１の端子取付け部を覆う保護蓋を備え、
前記基板は、その周縁に沿って前記第１の平面部から立ち上がるよう形成され、前記保護蓋が取り外し可能に嵌合する立ち上がり部を有する、
ことを特徴とする導線接続用水切り端子。
【発明の詳細な説明】
【技術分野】
【０００１】
本発明は、導線接続用水切り端子に関し、特に、建造物の躯体外部に位置する避雷導線を建造物の躯体内部に埋設された避雷導線に接続する、建造物の躯体内部への水分浸入を防止するようにした導線接続用水切り端子に関するものである。
【背景技術】
【０００２】
従来、落雷による雷電流を受雷部から接地極へ流すにあたって受雷部と接地極間に避雷導線が使用され、その避雷導線を伝っての躯体内部への水分浸入を防止する為に様々な水切り端子が取付けられていることが知られている。
【０００３】
以下、従来の避雷設備の一例について図１０ないし図１２の各図を用いて説明する。図１０は、従来の水切り端子を含む避雷設備全体の斜視図である。図１１は従来の水切り端子の詳細図であり、図１１（ａ）は従来の水切り端子の平面詳細図、図１１（ｂ）は従来の水切り端子の側面詳細図である。図１２は従来の鉄筋用接続端子の詳細図であり、図１２（ａ）は従来の鉄筋用接続端子の平面詳細図、図１２（ｂ）は従来の鉄筋用接続端子の側面詳細図である。
【０００４】
従来の避雷設備は、図１０に示すように、雷撃を受止める受雷部３１と鉄筋コンクリート躯体を構成する鉄筋３２との間に、分岐端子３３と、第一避雷導線３４と、水切り端子３５と、第二避雷導線３６と、鉄筋用接続端子３７とが配設されている。分岐端子３３は受雷部３１から第一避雷導線３４を分岐するために用いられ、第一避雷導線３４は分岐端子３１と水切り端子３５との間に接合され、第二避雷導線３６は水切り端子３５と鉄筋用接続端子３７との間に接合されている。第一避雷導線３４および第二避雷導線３６はアルミニウム製の撚線状の避雷導線であり、第二避雷導線３６はコンクリートのアルカリ分によって生じる避雷導線の浸食を防止するためにＶＥ管３８で養生されている。
【０００５】
上記のように構成された避雷設備のうちの水切り端子３５について、図１１を用いて説明する。水切り端子３５は、帯状の帯板部３５１と、帯板部３５１の両端に取付けられ、第一避雷導線もしくは第二避雷導線の先端部が挿着される接続端子３５２と、帯板部３５１に接続端子３５２を取付けるネジ、座金、ナットからなるネジ部材３５３とを備える。そして、水切り端子３５はコンクリート打設前に、例えばコンクリートを一定の大きさや形にする枠組みである型枠（図示せず）の建込みと並行してその型枠（図示せず）に穴（図示せず）が開けられ、その穴（図示せず）に帯板部３５１が挿入された後に番線（図示せず）で型枠（図示せず）に緊結して固定され、水切り端子３５と第二避雷導線３６とが、第二避雷導線３６と鉄筋用接続端子３７とが、それぞれ接合された後にコンクリートが打設される。
【０００６】
続いて、図１０に示す避雷設備のうちの鉄筋用接続端子３７について図１２を用いて説明する。鉄筋用接続端子３７は、鉄板薄板部３７１と、接続端子部３７２と、平板部３７３とを備える。鉄製薄板部３７１は、略長方形平面形状を有する薄板状の鉄板であり、ネジ３７１ａが螺入されるネジ穴（図示せず）を備える。接続端子部３７２は、略長方形平面形状を有する接続部３７２１と、円筒断面形状を有する避雷導線挿入部３７２２と、それらの中間に位置する勾配部３７２３とを備える。接続部３７２１はネジ３７１ａによって鉄板薄板部３７１と接合される。避雷導線挿入部３７２２は、その円筒内に第二避雷導線の先端部が挿入される。勾配部３７２３は略長方形平面形状の接続部３７２１から円筒断面形状の避雷導線挿入部３７２２に変換する。平板部３７３は、鉄板薄板部３７１のほぼ中央部に重ねてその外周部が黄銅によってろう付け３７３１され、ネジ３７１が螺着されるネジ穴（図示せず）を有する。
【０００７】
以下、鉄筋用接続端子３７の施工方法について説明する。先ず、避雷導線挿入部３７２２の円筒内へ第二避雷導線３６の先端部を挿入したのちに避雷導線挿入部３７２２に付属するネジ３７２ａで固定する。次に、第二避雷導線３６と避雷導線挿入部３７２２の内壁間に生じた空隙にハンダを充填することによって接続端子３７２と第二避雷導線３６とを接合する。上記接続端子３７２と第二避雷導線３６との接合作業と並行して、平板部３７３を鉄板薄板部３７１の一方の平面部に取付ける。その鉄板薄板部３７１及び平板部３７３にネジ３７１を螺着させるネジ穴（図示せず）を加工する。
【０００８】
上記平板部３７３と一体化した鉄板薄板部３７１を、該鉄板薄板部３７１の上記一方の平面部に対するもう一方の平面部を鉄筋３２の外周面へ溶接により取付ける。そして、第二避雷導線３６と接合された接合端子部３７２を、上記平板部３７３にネジ３７１ａにより取付ける。これにより鉄筋接続端子３７が鉄筋コンクリートを構成する鉄筋３２に接合される。
【０００９】
この技術はすでに商品化されており、周知の事実となっている。従来の文献としては引用すべきものは見当たらなかったが、建造物の地下室の外周に設けられる地下外壁面から浸透した水分が避雷導線を伝わって、地下内壁面への浸入するのを防止するようにした導線接続用水切り端子がある（例えば、特許文献１参照）。
【特許文献１】特開２００１−４５６４３号公報（第１−３頁、第１図）
【発明の開示】
【発明が解決しようとする課題】
【００１０】
しかし、従来の水切り端子３５は型枠に穴を開け、その穴に帯板部３５１を挿入し番線で型枠に緊結されるため取付け精度を一定に保持することが困難であった。また、帯板部３５１はコンクリート打設前には型枠の表面から、コンクリート打設後にはコンクリート躯体から突出する為、施工時に於ける災害、例えば、突出した帯板部３５１による蹴躓き、眼球への突き刺さりを防止するために、受雷部３１と水切り端子３５を第一避雷導線３４によって接合する避雷設備工事に取り掛かるまでの間は壁側に折り曲げられている。しかし、その避雷設備工事の際に折り曲げられていた帯板部３５１を元に戻すと金属疲労によって帯板部３５１が切断されてしまい、避雷設備としての機能を果たし得ないばかりでなく、手直しの大きな要因となっていた。
【００１１】
本発明は以上のような問題を鑑みてなされたものであり、躯体や仕上げ面から突出せず、容易に取付けができ、取付け精度を高めることのでき得る、避雷設備における導線接続用水切り端子を提供しようとするものである。
【課題を解決するための手段】
【００１２】
前記課題を解決するために、本発明の請求項１に記載の導線接続用水切り端子は、建造物の躯体外部に配置されて、雷撃を受止める受雷部に接続された避雷導線を、建造物の躯体内部に埋設されて接地極に接続された避雷導線に接続し、該建造物の躯体内部への水分浸入を防止する導線接続用水切り端子において、相対する第１及び第２の平面部を有する基板と、前記第１の平面部上に形成され、受雷部側の避雷導線に固着された第１の端子を取付ける第１の端子取付け部と、前記第２の平面部上に形成され、接地極側の避雷導線に固着された第２の端子を取付ける第２の端子取付け部とを備えた、ことを特徴とするものである。
【００１３】
また、本発明の請求項２に記載の導線接続用水切り端子は、請求項１に記載の導線接続用水切り端子において、前記基板は、その周縁部に形成され、該基板を、建造物あるいは建造物の建築に用いる部材に固定するための脚部を有する、ことを特徴とするものである。
【００１４】
また、本発明の請求項３に記載の導線接続用水切り端子は、請求項２に記載の導線接続用水切り端子において、前記脚部は、前記第２の平面部上に、前記基板の周縁部の一部から該第２の平面部と垂直な方向に延びるよう形成され、先端が前記基板の外側に折り曲げられた側面Ｌ字形状部である、ことを特徴とするものである。
【００１５】
また、本発明の請求項４に記載の導線接続用水切り端子は、請求項２に記載の導線接続用水切り端子において、前記脚部は、前記基板の周縁部の一部から基板側方に突出するよう形成された平板状部である、ことを特徴とするものである。
【００１６】
また、本発明の請求項５に記載の導線接続用水切り端子は、請求項１に記載の導線接続用水切り端子において、前記第１の端子取付け部は、前記第１の端子を取付けるためのネジが螺着されるネジ穴を有する、ことを特徴とするものである。
【００１７】
また、本発明の請求項６に記載の導線接続用水切り端子は、請求項１に記載の導線接続用水切り端子において、前記第２の端子取付け部は、前記第２の端子を取付けるネジが螺着されるネジ穴を１箇所以上有する、ことを特徴とするものである。
【００１８】
また、本発明の請求項７に記載の導線接続用水切り端子は、請求項２ないし請求項４のいずれかに記載の導線接続用水切り端子において、前記脚部は、釘もしくはボルトが挿入される挿入孔を有する、ことを特徴とするものである。
【００１９】
また、本発明の請求項８に記載の導線接続用水切り端子は、請求項１に記載の導線接続用水切り端子において、前記基板の、前記第１の端子取付け部を覆う保護蓋を備え、前記基板は、その周縁に沿って前記第１の平面部から立ち上がるよう形成され、前記保護蓋が取り外し可能に嵌合する立ち上がり部を有する、ことを特徴とするものである。
【発明の効果】
【００２０】
本発明によれば、建造物の躯体外部に配置されて、雷撃を受止める受雷部に接続された避雷導線を、建造物の躯体内部に埋設されて接地極に接続された避雷導線に接続し、該建造物の躯体内部への水分浸入を防止する導線接続用水切り端子において、相対する第１及び第２の平面部を有する基板と、前記第１の平面部上に形成され、受雷部側の避雷導線に固着された第１の端子を取付ける第１の端子取付け部と、前記第２の平面部上に形成され、接地極側の避雷導線に固着された第２の端子を取付ける第２の端子取付け部とを備えたので、その外形は、従来の水切り端子のような長尺状のものではなく、平板状のものとなり、コンクリートの型枠や建造物の建築部材に取付けた後に、建設作業の妨げになることはない導線接続用水切り端子を得ることができる。このため、その取付け後に、従来の水切り端子のように作業の妨げにならないよう折り曲げられることはなく、このような折り曲げによる破損を回避して、工事費の削減を図ることができる効果がある。
【００２１】
また、本発明によれば、前記導線接続用水切り端子において、前記基板は、その周縁部に形成され、該基板を、建造物あるいは建造物の建築に用いる部材に固定するための脚部を有するので、所望する設置位置に容易に取付けることができる導線接続用水切り端子を提供することができる効果がある。
【００２２】
また、本発明によれば、導線接続用水切り端子において、前記脚部は、前記第２の平面部上に、前記基板の周縁部の一部から該第２の平面部と垂直な方向に延びるよう形成され、先端が前記基板の外側に折り曲げられた側面Ｌ字形状部であるので、該脚部の先端部分をコンクリートの型枠に固定することにより、所望する設置位置への取付けを簡単にしかも精度よく行うことができるとともに、付着強度を高めることができる埋込み型の導線接続用水切り端子を提供することができる効果がある。
【００２３】
また、本発明によれば、前記導線接続用水切り端子において、前記脚部は、前記基板の周縁部の一部から基板側方に突出するよう形成された平板状部であるので、該脚部を建築部材に重合せて固定することにより、所望する設置位置への取付けを簡単にしかも精度よく行うことができる露出型の導線接続用水切り端子を提供することができる効果がある。
【００２４】
また、本発明によれば、前記導線接続用水切り端子において、前記第１の端子取付け部は、前記第１の端子を取付けるためのネジが螺着されるネジ穴を有するので、その取付けをネジ止めなどの簡単な作業で行うことができる導線接続用水切り端子を提供することができる効果がある。
【００２５】
また、本発明によれば、前記導線接続用水切り端子において、前記第２の端子取付け部は、前記第２の端子を取付けるネジが螺着されるネジ穴を１箇所以上有するので、取付けられる避雷導線の断面積を必要に応じて増減することが可能となる効果がある。
【００２６】
また、本発明によれば、前記導線接続用水切り端子において、前記脚部は、釘もしくはボルトが挿入される挿入孔を有するので、型枠もしくは建造物への取付けを、釘やボルトにより簡単に行うことができる導線水切り端子を提供することが可能となる効果がある。
【００２７】
また、本発明によれば、前記導線接続用水切り端子において、前記基板の、前記第１の端子取付け部を覆う保護蓋を備え、前記基板は、その周縁に沿って前記第１の平面部から立ち上がるよう形成され、前記保護蓋が取り外し可能に嵌合する立ち上がり部を有するので、端子取付け部のネジ穴へのコンクリート流入を防止することができる埋込み型の導線水切り端子を提供することができる効果がある。
【発明を実施するための最良の形態】
【００２８】
（実施の形態１）
以下、本発明の実施の形態１に係る導線接続用水切り端子について、図１ないし図５の各図を参照して説明する。
【００２９】
図１は本発明の実施の形態１に係る導線接続用水切り端子の概要図であり、図１（ａ）はその導線接続用水切り端子の平面図、図１（ｂ）はその導線接続用水切り端子の底面図である。図２は本発明の実施の形態１に係る導線接続用水切り端子の断面図であり、図２（ａ）はその導線接続用水切り端子の長辺方向の断面図、図２（ｂ）はその導線接続用水切り端子の短辺方向の断面図である。図３は本発明の実施の形態１に係る保護蓋を示す図であり、図３（ａ）はその保護蓋の平面図、図３（ｂ）はその保護蓋の断面図である。図４は本発明の実施の形態１に係る導線接続用水切り端子の施工時の平断面図である。図５は本発明の実施の形態１に係る導線接続用水切り端子の完成時の平断面図である。
上述の従来の技術と同じもしくは同等の機能を有する部材については同符号を記し、詳細な説明は省略する。
【００３０】
本発明の実施の形態１に係る導線接続用水切り端子は、図５に示すようにコンクリート躯体に埋設させて用いられ、施工時には、図１および図４に示すように、基板１１の表面側を保護蓋１５１によって被覆した状態で型枠１９に取付けられる。
【００３１】
基板１１は、図１に示すように、略長方形平面形状を有する。当該基板１１の互いに相対する一方の平面部には端子取付け部１２と、立ち上がり部１６とが設けられ、上記一方の平面部に対向するもう一方の平面部にはテーパーネジ螺着部１３と、Ｌ字型脚部１４とが設けられ、本実施の形態１に係る導線接続用水切り端子は、基板１１とＬ字型脚部１４とにより略ハット型側面形状を有する。また、基板１１と、端子取付け部１２と、テーパーナット螺着部１３と、Ｌ字型脚部１４と、立ち上がり部１６とが黄銅によって一体形成され、それらの各表面はクロム鍍金されている。
【００３２】
端子取付け部１２は、図１に示すように、略長方形平面形状を有する。当該端子取付け部１２の表面には、その長辺方向の軸心近傍に２箇所の雌ネジ部１２１が並設され、端子取付け部１２の重心は基板１１の重心と略一致する。端子取付け部１２には、図５に示すように端子１７が取付けられる。一方端が分岐端子３３を介して受雷部３１に接合された第一避雷導線３４のもう一方端が端子１７に接合され、その端子１７が端子取付け部１２に、ネジおよび座金で構成されるネジ部材１７３によって取付けられる。
【００３３】
テーパーネジ螺着部１３は、図１に示すように、略長方形平面形状を有する。当該テーパーネジ螺着部１３のほぼ重心位置にテーパーネジ部材１８が螺着される雌ネジ部１３１を備える。雌ネジ部１３１にテーパーネジ部材１８が螺着されることによりテーパーネジ部材１８が基板１１に垂設される。当該テーパーネジ螺着部の重心は基板１１の重心と略一致する。
【００３４】
Ｌ字型脚部１４は、図１、図２および図４の各図に示すように、基板１１の各辺のほぼ中央に形成された側面Ｌ字形の部分である。このＬ字の縦片に対応する縦片部１４２は、基板の、テーパーネジ螺着部１３側と同じ側の平面部上で、該平面部と垂直な方向に延びている。また上記Ｌ字の横片に対応する横片部１４３は、該縦片部１４２の先端から該平面部と平行な方向に基板外側に向かって延びている。上記Ｌ字型脚部１４の縦片部１４２の、基板外側に向く側面は、基板側面と同一面となっている。このＬ字型脚部１４は、本実施の形態１に係る導線接続用水切り端子を釘１４１ａにて型枠１９に固定するために設けられたものであり、該Ｌ字型脚部１４の横片部１４３には釘穴１４１が形成されており、当該導線接続用水切り端子１５を型枠１９に取付けた状態では、該Ｌ字型脚部１４の横片部１４３に形成された釘穴１４１を貫通する釘１４１ａにより導線接続用水切り端子１５が型枠に固定される。
【００３５】
立ち上がり部１６は、図１、図２および図４に示すように、端子取付け部１２と同じ平面部上に、基板１１の周縁に沿って形成されており、基板の外周面と立ち上がり部の外周面とが同一面となっている。また、該立ち上がり部１６と端子取付け部１２との間には凹部を形成されている。この立ち上がり部１６は、コンクリート打設時に端子取付け部１２の雌ネジ部１２１へのコンクリート浸入を防止する保護蓋１５１を取付ける際に利用される。
【００３６】
保護蓋１５１は、ＡＢＳ製樹脂で一体成型されたものである。図３に示すように、当該保護蓋１５１は、略長方形平面形状の平板部と、該平板部の一方の平面部上に、その外周に沿って形成された立ち上がり部１５１ａとからなる。この立ち上がり部１５１ａの各辺のほぼ中央に釘穴１５１ｂが１箇形成されている。保護蓋１５１は、上記導線接続用水切り端子１５の立ち上がり部１６に嵌合装着され、コンクリート打設時に、端子取付け部１２に設けられた雌ネジ１２１へのコンクリートの浸入を防止するものである。型枠１９の脱型時もしくは導線接続用水切り端子１５に端子１７を取付ける前に外される。打設したコンクリートの、保護蓋１５１が外された後の立ち上がり部１５１ａ跡のスペースには、躯体への水分の浸入を防止するコーキング材１６１ａが充填される。
【００３７】
端子１７は、図５に示すように、本実施の形態１に係る導線接続用水切り端子に第一避雷導線３４を取付けるための端子である。当該端子１７には第一避雷導線３４が挿入される導線挿入部１７１と、第一避雷導線３４を導線挿入部１７１に圧着固定させる蓋体１７２とが備えられる。導線挿入部１７１は、第一避雷導線３４の先端部が挿入される導線固着部１７１１と、端子取付け部１２に接合される平面形状及び断面形状が共に略長方形状の接合部１７１２と、導線固着部１７１１と接合部１７１２との間に位置する勾配部１７１３とを有する。本実施の形態１では、第一避雷導線３４を端子取付け部１２の長辺方向、すなわち、雌ネジ１２１間を結ぶ方向に配設する際に用いられ、導線固着部１７１１に第一避雷導線３４の先端部を挿入したのち蓋体１７２を導線挿入部１７１に螺着させることにより導線固着部１７１１が半径方向に圧縮されて第一避雷導線３４と端子１７が接合される。そして、端子１７を端子取付け部１２にボルトおよび座金で構成されるネジ部材１７３によって固着させることにより第一避雷導線３４は導線接続用水切り端子１５と電気的かつ機械的に接合される。
【００３８】
テーパーネジ部材１８は、図４に示すように、テーパーネジ部１８１と、テーパーナット部１８２とで構成される。テーパーネジ部１８１は、軸部１８１１と、頭部１８１２とを有する。軸部１８１１は、当該軸部の外周面に勾配状の雄ネジ部１８１１ａと、テーパーナット部１８２が締められることにより軸部１８１１がその半径方向に圧縮変形を可能とする欠切部１８１１ｂとを有する。頭部１８１２は、テーパーネジ螺着部１３の雌ネジ部１３１に螺着されるよう雄ネジ加工されている。テーパーナット部１８２は、軸部１８２１と、頭部１８２２とを有し、軸部１８２１の内壁面の一部に雌ネジ部１８２１ａが加工された円筒状の雌ネジである。予めテーパーナット部１８２を挿入した第二避雷導線３６の先端部をテーパーネジ部１８１の円筒内へ挿入した後、前記テーパーナット部１８２をテーパーネジ部１８１に螺着することにより第二避雷導線３６がテーパーネジ部材１８に取付けられる。
以上のように構成された本実施の形態１に係る導線接続用水切り端子は、次に述べるように施工される。
【００３９】
施工時には、図４に示すように、立ち上がり部１６に保護蓋１５１を冠着させた本実施の形態１に係る導線接続用水切り端子を、冠着された保護蓋側を型枠１９に密着させて、ハンマー（図示せず）を用いて釘１４１ａを釘穴１４１および釘穴１５１ｂに貫通させることにより型枠１９に固定する。型枠１９に打付けられた釘１４１ａの先端部は作業の安全を考慮して折り曲げられる。
【００４０】
次に、図４に示すように、型枠１９に固定された本実施の形態１に係る導線接続用水切り端子にテーパーネジ部１８１を螺着させる。図５に示すように、埋込配管１９ａによって養生された第二避雷導線３６の一方端に予めテーパーナット部１８２を挿入し、前記第二避雷導線３６の一方の先端部がテーパーネジ部１８１円筒内に挿入されて前記テーパーネジ部１８１に前記テーパーナット部１８２を螺着させる。これにより、第二避雷導線３６はテーパーネジ部１８１の内壁で圧着されて、本実施の形態１に係る導線接続用水切り端子と機械的、電気的に接合される。また、第二避雷導線３６のもう一方端は鉄筋用接続端子３７の接続端子部３７２に接合される。埋込配管１９ａはＶＥ管３８と同様に避雷導線の浸食を防止する。
【００４１】
このようにして本実施の形態１に係る導線接続用水切り端子を型枠１９に取付けた後にコンクリートが打設され、一定の養生期間の経過後に型枠１９が脱型される。そして、保護蓋１５１が撤去されると同時に釘１４１ａの先端部が切断される。
【００４２】
次に、図５に示すように、撤去された保護蓋の立ち上がり部１５１ａ跡にコーキング材１６１ａを充填し、蓋体１７２を予め挿入した第一避雷導線３４の一方端を導線固着部１７１１に挿入する。前記蓋体１７２を導線固着部１７１１に螺着させ、第一避雷導線３４が挿着された端子１７の接合部１７１２をネジ部材１７３によって端子取付け部１２に取付ける。これにより、第一避雷導線３４は導線接続用水切り端子１５と機械的、電気的に接合される。
【００４３】
このようにして、受雷部３１は、分岐端子３３、第一避雷導線３４、本実施の形態１に係る導線接続用水切り端子１５、第二避雷導線３６、鉄筋用接続端子３７をそれぞれ経由して鉄筋コンクリートを構成する鉄筋３２と機械的、電気的に接合されると共に、地下に埋設される接地極と接合され、接地極に雷電流が接地される。
【００４４】
以上のように、本発明の実施の形態１に係る導線接続用水切り端子は、受雷部３１に接合される第一避雷導線３４と雷電流を大地へ流す接地極に接合される第二避雷導線３６とを接合し、前記各避雷導線を介して建造物の躯体内部へ水分が浸入するのを防止する導線接続用水切り端子において、平板なる基板１１の一方の平面部に第一避雷導線３４が接合される端子取付け部１２が設けられ、その平面部に対向するもう一方の平面部に第二避雷導線３６が接合されるテーパーネジ螺着部１３が設けられ、基板１１の各側部に略Ｌ字状のＬ字型脚部１４が設けられ、基板１１の端子取付け部１２側の平面部にその外周に沿って、端子取付け部１２とほぼ同じ高さの立ち上がり部１６が設けられ、基板１１と、端子取付け部１２と、テーパーネジ螺着部１３と、Ｌ字型脚部１４と、立ち上がり部１６とが一体形成されたので、施工時には型枠から、完成時にはコンクリート表面や仕上げ面から突出せず、また、その取付けを容易とすることが可能となる。
【００４５】
また、端子取付け部１２には、端子１７を取付ける雌ネジ部１２１を有するので、端子１７を機械的に当該導線接続用水切り端子１５に接合可能となる。
【００４６】
また、テーパーネジ螺着部１３には、テーパーネジ部材１８が螺着されるネジ穴を有するので、第二避雷導線３６を当該導線接続用水切り端子１５に機械的に接合可能となる。
【００４７】
また、導線接続用水切り端子１５には、端子取付け部１２を覆う、立ち上がり部１６に嵌脱される保護蓋１５１が備えられたので、コンクリート打設時に端子取付け部１２の雌ネジ部１２１にコンクリートが浸入せず、防水用のコーキング代をコンクリート打設時に確保することができる埋込み型の導線接続用水切り端子を提供することが可能となる。
【００４８】
なお、本実施の形態１では、テーパーネジ部材の取付けは１箇所としたが、端子取付け部１２の短辺方向の各縁際にそれぞれ取付けることも可能であり、本発明の導線接続用水切り端子は、本実施の形態１に限定されるものではない。
【００４９】
また、本実施の形態１では、基板１１は略長方形平面形状としたが、該基板は、端子取付け部１２と、テーパーネジ螺着部１３と、Ｌ字型脚部１４と、立ち上がり部１６とを有すればよく、本実施の形態１のものに限定されるものではない。
【００５０】
また、本実施の形態１では、端子取付け部１２は略長方形平面形状としたが、該端子取付け部１２は、端子１７を取付け可能なものであればよく、本実施の形態１のものに限定されるものではない。
【００５１】
また、本実施の形態１では、テーパーネジ螺着部１３は略長方形平面形状としたが、該テーパーネジ螺着部１３は、テーパーネジ１８部材を取付け可能なものであればよく、本実施の形態１のものに限定されるものではない。
【００５２】
また、本実施の形態１では、保護蓋１５は略長方形平面形状としたが、該保護蓋１５は、端子取付け部１２を覆うよう基板１１に取り外し可能に取付けることができるものであればよく、本実施の形態１のものに限定されるものではない。
【００５３】
また、本実施の形態１で示した導線接続用水切り端子の施工手順は一例であり、本実施の形態１のものに限定されるものではない。
【００５４】
（実施の形態２）
以下、本発明の実施の形態２に係る導線接続用水切り端子について、図６ないし図９の各図を参照して説明する。図６は本発明の実施の形態２に係る導線接続用水切り端子の概要図であり、図６（ａ）はその導線接続用水切り端子の平面図、図６（ｂ）はその導線接続用水切り端子の底面図を示す。図７は本発明の実施の形態２に係る導線接続用水切り端子の断面図であり、図７（ａ）はその導線接続用水切り端子の長辺方向の断面図、図７（ｂ）はその導線接続用水切り端子の短辺方向の断面図である。図８は本発明の実施の形態２に係る導線接続用水切り端子の完成時の全体断面図である。図９は本発明の実施の形態２に係る導線接続用水切り端子の完成時の部分詳細図であり、図９（ａ）はその導線接続用水切り端子の完成時の部分正面詳細図、図９（ｂ）はその導線接続用水切り端子の完成時の部分断面詳細図である。
上述の実施の形態１と同じまたは同等の機能を有する部材については同符号を記し、詳細な説明は省略する。
【００５５】
本発明の実施の形態２に係る導線接続用水切り端子は、図８、図９の各図に示すように、鉄骨造とした建造物を構成する、工場で予め成形加工された鉄筋コンクリート製、いわゆるプレキャストコンクリートと称されるパラペット１のアゴ部１ａと、現場で打設される押さえコンクリート床２ａに固定する下地材２６とで支持される板材２９に取付けて用いられるものであり、図６もしくは図７の各図に示すように、基板２１と平板型脚部２４とを備える。
【００５６】
基板２１は、図６もしくは図７の各図に示すように、略長方形平面形状を有する。当該基板２１の互いに相対する一方の平面部には端子取付け部１２と、立ち上がり部１６とが設けられ、上記一方の平面部に対向するもう一方の平面部にはテーパーネジ螺着部２３が設けられ、基板２１の各側面のほぼ中央に平板型脚部２４が設けられている。本実施の形態２に係る導線接続用接続端子は、基板２１と、端子取付け部１２と、立ち上がり部１６と、テーパーネジ螺着部２３と、平板型脚部２４とが黄銅によって一体形成され、各表面はクロム鍍金されている。
【００５７】
テーパーネジ螺着部２３は、図６に示すように、略長方形平面形状を有する。当該テーパーネジ螺着部２３の両短辺縁際に、テーパーネジ部１８１が螺着される雌ネジ部２３１がそれぞれ設けられている。
【００５８】
平板型脚部２４は、図７に示すように、基板２１と同厚の略正方形平面形状を有する。当該平板型脚部２４には、本実施の形態２に係る導線接続用水切り端子を板材２９に固定させるネジが貫通するネジ穴２４１が設けられる。
【００５９】
図８もしくは図９の各図に示すように、第一避雷導線３４が挿着された端子１７は、上述の実施の形態１と同様に、ネジ部材１７３によって端子取付け部１２と接合され、第二避雷導線３６と接合されるテーパーネジ部材１８はテーパーネジ螺着部２３に設けられた雌ネジ部２３１に螺着される。
なお、図８、図９の各図中、２ｂは緩衝材、２ｃは縁切り材、２ｄは押さえコンクリート床、２ｅは断熱材、２ｆは側溝部、３はモルタル、４は防水層、２６ｂ、２６ｃはコーキング材である。
【００６０】
以上のように構成された本実施の形態２に係る導線接続用水切り端子２５は、次に述べるように施工される。
【００６１】
図８に示すように、床２及び床立ち上がり部２ａへのコンクリート打設に先立ち、第二避雷導線３６の一方端を埋込配管２９ｂ内に挿入して貫通させ、鉄骨用接続端子２７を介して鉄骨２２に接合する。また、前記第二避雷導線３６のもう一方端を型枠（図示せず）に加工された穴に貫通させ、前記第二避雷導線３６の先端部には養生器具（図示せず）が嵌合される。そして、第二避雷導線３６は型枠もしくは型枠支持材（図示せず）に型枠脱型時まで番線（図示せず）を用いて仮配設される。鉄骨用接続端子２７は、上述の実施の形態１において用いた鉄筋接続端子が避雷導線を鉄筋に接合させるのに対し、避雷導線を鉄骨に接合させる。
【００６２】
次に、図８、図９の各図に示すように、床２及び床立ち上がり部２ａへコンクリートが打設され、一定の養生期間の経過後に型枠が脱型され、鉄骨２２にプレキャストコンクリ−トのパラペット１が取付けられ、防水工事が施工される。防水工事は、モルタル３にて床２及び床立ち上がり部２ａの表面部を下地調整した後に防水層４を形成させる。更に、床２の上面に形成された防水層４の上面に断熱材２ｅを敷き、床立ち上がり部２ａに沿って側溝部２ｆを形成させて押さえコンクリート２ｄが打設される。そして、下地材２６が押さえコンクリート床２ｄの上面に取付けられる。
【００６３】
次に、テーパーネジ螺着部２３を板材２９に加工された開口部に嵌合させて、本実施の形態２に係る導線接続用水切り端子を板材２９にネジ部材２９ａを用いて取付ける。板材２９と一体化された本実施の形態２に係る導線接続用水切り端子にテーパーネジ部１８１を螺着させる。そして、床２及び床立ち上がり部２ａへのコンクリート打設に先立って第二避雷導線３６のもう一方の先端部に取付けられた前記養生器具を外した後に、テーパーナット部１８２を予め第二避雷導線３６に挿入し、第二避雷導線３６のもう一方の先端部をテーパーネジ部１８１に挿入させる。そのテーパーナット部１８２をテーパーネジ部１８１に螺着させることにより第二避雷導線３６は導線接続用水切り端子２５に接合される。
【００６４】
次に、図８、図９の各図に示すように、本実施の形態２に係る導線接続用水切り端子が取付けられた板材２９の一方側を下地材２６に嵌着させ、そのもう一方側をパラペット１のアゴ部下端に形成された溝部１ａに緩衝材２６ａを用いて嵌着させる。そして、基板２１と平板型脚部２４の外周部にコーキング材２６１ａが充填される。
【００６５】
以下、上述の実施の形態１と同様にして、受雷部３１は、分岐端子３３、第一避雷導線３４、本実施の形態２に係る導線接続用水切り端子、第二避雷導線３６、鉄骨用接続端子２７をそれぞれ経由して建造物を構成する鉄骨２２と機械的、電気的に接合され、地下に埋設される接地極に雷電流が接地される。受雷部３１から分岐した第一避雷導線３４は導線取付金物２８により建造物に支持される。
【００６６】
以上のように、本発明の実施の形態２に係る導線接続用水切り端子は、受雷部３１に接合される第一避雷導線３４と雷電流を大地へ流す接地極に接合される第二避雷導線３６とを接合し、前記各避雷導線を介して建造物の躯体内部へ水分が浸入するのを防止する導線接続用水切り端子において、平板なる基板２１の一方の平面部に第一避雷導線３４が接合される端子取付け部１２が設けられ、その平面部に対向するもう一方の平面部に第二避雷導線３６が接合されるテーパーネジ螺着部２３が設けられ、基板２１の各側面のほぼ中央部に基板２１と同厚とされたネジ穴２４１を有する平板型脚部２４が備えられ、基板１１の、端子取付け部１２側の平面部上にその外周に沿って、端子取付け部１２とほぼ同じ高さの立ち上がり部１６が設けられ、基板２１と、端子取付け部１２と、テーパーネジ螺着部２３と、平板型脚部２４と、立ち上がり部１６とが一体形成されたので、施工時にはその取付けを容易とし、完成時にはその立ち上がり部によりコーキング代を十分確保できる露出型の導線接続用水切り端子を提供することが可能となる。
【００６７】
また、端子取付け部１２には、端子１７を取付ける雌ネジ部１２１を有するので、端子１７を機械的に当該導線接続用水切り端子２５に接合可能となる。
【００６８】
また、テーパーネジ螺着部２３には、テーパーネジ部材１８が螺着されるネジ穴を有するので、第二避雷導線３６を当該導線接続用水切り端子２５に機械的に接合可能となる。
なお、本実施の形態２では、テーパーネジ部材１８１の取付け箇所を２箇所とした導線接続用水切り端子２５を示しているが、これに限らず、導線接続用水切り端子２５でのテーパーネジ部材１８１の取付け箇所は、上述の実施の形態１と同様に一箇所としてもよく、あるいは、３箇所以上であってもよい。
【００６９】
また、本実施の形態２では、基板２１は略長方形平面形状としたが、該基板は、端子取付け部１２と、テーパーネジ螺着部２３と、平板型脚部２４と、立ち上がり部１６とを有すればよく、本実施の形態２のものに限定されるものではない。
【００７０】
また、本実施の形態２では、テーパーネジ螺着部２３は略長方形平面形状としたが、該テーパーネジ螺着部２３は、テーパーネジ部材１８を取付け可能なものであればよく、本実施の形態２のものに限定されるものではない。
【００７１】
また、本実施の形態２で示した導線接続用水切り端子の施工手順および施工例は一例であり、本実施の形態２のものに限定されるものではない。
【産業上の利用可能性】
【００７２】
本発明に係る導線接続用水切り端子は、建造物のコンクリート躯体外部に設置される避雷導線と、建造物のコンクリート躯体内に埋設される避雷導線とを機械的に接合するものであり、建造物への取付けが簡単で、しかもその取付け後の作業の妨げになることがないものであり、避雷設備を含む建造物の建設工事を行う上で有用なものである。
【図面の簡単な説明】
【００７３】
【図１（ａ）】本発明の実施の形態１に係る導線接続用水切り端子の平面図。
【図１（ｂ）】本発明の実施の形態１に係る導線接続用水切り端子の底面図。
【図２（ａ）】本発明の実施の形態１に係る導線接続用水切り端子の長辺方向の断面図。
【図２（ｂ）】本発明の実施の形態１に係る導線接続用水切り端子の短辺方向の断面図。
【図３（ａ）】本発明の実施の形態１に係る保護蓋の平面図。
【図３（ｂ）】本発明の実施の形態１に係る保護蓋の断面図。
【図４】本発明の実施の形態１に係る導線接続用水切り端子の施工時の平断面図。
【図５】本発明の実施の形態１に係る導線接続用水切り端子の完成時の平断面図。
【図６（ａ）】本発明の実施の形態２に係る導線接続用水切り端子の平面図。
【図６（ｂ）】本発明の実施の形態２に係る導線接続用水切り端子の底面図。
【図７（ａ）】本発明の実施の形態２に係る導線接続用水切り端子の長辺方向の断面図。
【図７（ｂ）】本発明の実施の形態２に係る導線接続用水切り端子の短辺方向の断面図。
【図８】本発明の実施の形態２に係る導線接続用水切り端子の完成時の全体断面図。
【図９（ａ）】本発明の実施の形態２に係る導線接続用水切り端子の完成時の部分正面詳細図。
【図９（ｂ）】本発明の実施の形態２に係る導線接続用水切り端子の完成時の部分断面詳細図。
【図１０】従来の水切り端子を含む避雷設備全体の斜視図。
【図１１（ａ）】従来の水切り端子の平面詳細図。
【図１１（ｂ）】従来の水切り端子の側面詳細図。
【図１２（ａ）】従来の鉄筋用接続端子の平面詳細図。
【図１２（ｂ）】従来の鉄筋用接続端子の側面詳細図。
【符号の説明】
【００７４】
１  パラペット
１ａ  溝部
２  床
２ａ  床立ち上がり部
２ｂ  緩衝材
２ｃ  縁切り材
２ｄ  押さえコンクリート床
２ｅ  断熱材
２ｆ  側溝部
３  モルタル
４  防水層
１１，２１  基板
１２  端子取付け部
１２１  雌ネジ部
１３，２３  テーパーネジ螺着部
１３１，２３１  雌ネジ部
１４  Ｌ字型脚部
１４１  釘穴
１４１ａ  釘
１４２  縦片部
１４３  横片部
１５，２５  導線接続用水切り端子
１５１  保護蓋
１５１ａ  立ち上がり部
１５１ｂ  釘穴
１６  立ち上がり部
１６１ａ，２６１ａ  コーキング材
１７  端子
１７１  導線挿入部
１７１１  導線固着部
１７１２  接合部
１７１３  勾配部
１７２  蓋体
１７３  ネジ部材
１８  テーパーネジ部材
１８１  テーパーネジ部
１８１１，１８２１  軸部
１８１１ａ  雄ネジ部
１８１１ｂ  欠切部
１８１２，１８２２  頭部
１８２  テーパーナット部
１８２１ａ  雌ネジ部
１９  型枠
１９ａ，２９ｂ  埋込配管
２２  鉄骨
２４  平板型脚部
２４１  ネジ穴
２６  下地材
２６ａ  緩衝材
２６ｂ，２６ｃ  コーキング材
２７  鉄骨用接続端子
２８  導線取付け金物
２９  板材
２９ａ  ネジ部材
３１  受雷部
３２  鉄筋
３３  分岐端子
３４  第一避雷導線
３５  水切り端子
３５１  帯板部
３５２  接続端子
３５３  ネジ部材
３６  第二避雷導線
３７  鉄筋用接続端子
３７１  鉄板薄板部
３７１ａ  ネジ
３７２  接続端子部
３７２ａ  ネジ
３７２１  接続部
３７２２  避雷導線挿入部
３７２３  勾配部
３７３  平板部
３７３１  ろう付け
３８  ＶＥ管
【図１（ａ）】
2005203105.tif 000003
【図１（ｂ）】
2005203105.tif 000004
【図２（ａ）】
2005203105.tif 000005
【図２（ｂ）】
2005203105.tif 000006
【図３（ａ）】
2005203105.tif 000007
【図３（ｂ）】
2005203105.tif 000008
【図４】
2005203105.tif 000009
【図５】
2005203105.tif 000010
【図６（ａ）】
2005203105.tif 000011
【図６（ｂ）】
2005203105.tif 000012
【図７（ａ）】
2005203105.tif 000013
【図７（ｂ）】
2005203105.tif 000014
【図８】
2005203105.tif 000015
【図９（ａ）】
2005203105.tif 000016
【図９（ｂ）】
2005203105.tif 000017
【図１０】
2005203105.tif 000018
【図１１（ａ）】
2005203105.tif 000019
【図１１（ｂ）】
2005203105.tif 000020
【図１２（ａ）】
2005203105.tif 000021
【図１２（ｂ）】
2005203105.tif 000022